(57)【要約】【課題】刈取部Ｂの前方を前照灯や作業灯で照らして夜間の刈取作業を可能にするコンバイン１において、刈上げ作業時の畦の視認性を保ちながら刈取部Ｂのデバイダ４周辺を作業灯を用いて照らすことができ、また、作業灯の設置コストを極力低減することができるコンバイン１を提供する。【解決手段】刈取部Ｂのデバイダ４周辺を照射する作業灯５２を操縦部Ａに設けるものとして、係る作業灯５２を一灯のランプで構成して下降させた刈取部Ｂの左右両端に亘るデバイダ４周辺を一時に照射すると共に、操縦部Ａからデバイダ４を目視する際の視線から外した箇所に作業灯５２を取り付ける。【選択図】図８
2017029003.tif 000002
【特許請求の範囲】
【請求項１】
走行装置を備える機体に操縦部と脱穀部を設けると共に、操縦部と脱穀部の前方に刈取部を昇降自在に設け、また、刈取部の前方を前照灯や作業灯で照らして夜間の刈取作業を可能にするコンバインにおいて、前記刈取部のデバイダ周辺を照射する作業灯を操縦部に設けるものとして、係る作業灯を一灯のランプで構成して下降させた刈取部の左右両端に亘るデバイダ周辺を一時に照射すると共に、操縦部からデバイダを目視する際の視線から外した箇所に作業灯を取り付けることを特徴とするコンバイン。
【請求項２】
前記作業灯は、上昇させた刈取部によって光源が遮られない箇所に取り付けることを特徴とする請求項１に記載のコンバイン。
【請求項３】
前記操縦部の前部に立設する操作ボックスの上方に作業者の支えとなるサポートフレームを横設し、このサポートフレームに作業灯を取り付けることを特徴とする請求項１又は請求項２に記載のコンバイン。
【請求項４】
前記サポートフレームの左右方向となる前辺と、前辺の端部から後方に折曲する後辺に亘ってベースブラケットを取り付けると共に、このベースブラケットを介して作業灯をサポートフレームに取り付けることを特徴とする請求項３に記載のコンバイン。
【発明の詳細な説明】
【技術分野】
【０００１】
本発明は、刈取作業を行うコンバインに係り、詳しくは、走行装置を備える機体に操縦部と脱穀部を設け、また、操縦部と脱穀部の前方に刈取部を昇降自在に設け、さらに、刈取部の前方を前照灯や作業灯で照らして夜間の刈取作業を可能にするコンバインに関する。
【背景技術】
【０００２】
稲や麦を刈取って脱穀選別処理を行うコンバインは、通常、自然照明される日中に刈取作業を行う。しかし、作業の進捗度合いや翌日以降の作業日程等を考慮し、薄暮時や日没後にも継続して刈取作業を行う場合があり、その際には、刈取部の前方を人工的に照らして刈取作業や圃場内走行を行う必要がある。そこで、路上走行時に使用する前照灯や刈取部のデバイダ周辺を照らす作業灯を設け、これらを点灯することによって薄暮時や夜間作業時の照明装置とすることが行われている。
【０００３】
そして、これらの照明装置は、操縦部の前部に設けるフロントパネル、刈取部に設けるサイドカバー、トップカバー、又は防塵カバー、排出オーガの先端部、或いはキャビンの前上部等に設ける作業灯によって構成されている（例えば、特許文献１乃至特許文献５参照。）。また、操縦部の運転パネルの裏面側に作業灯を設けることも知られている（特許文献６参照。）。
【先行技術文献】
【特許文献】
【０００４】
【特許文献１】特開２００８−６１５９５号公報
【特許文献２】特開２００６−１１５７９９号公報
【特許文献３】特開２００９−１３６１７８号公報
【特許文献４】特開２００５−１６０４９３号公報
【特許文献５】特開２００８−１１８９６９号公報
【特許文献６】特開２０００−２３６７３５号公報
【発明の概要】
【発明が解決しようとする課題】
【０００５】
前述のようにコンバインでは、薄暮時や夜間作業時の照明装置として前照灯や作業灯を用いて機体の前方側を照らすが、より快適な作業性や安全性を求めるユーザーにとって、既存の照明装置では物足らず、より十分な明るさを求める要望がある。そこで、このような声に応えるためにメーカーサイドとしては、より明るい照明装置をオプションとして用意する必要がある。
【０００６】
また、オプションの照明装置を用意する場合、標準装備する照明装置を全く使用せずに新たな照明装置を開発しようとすると、新規設計費用の発生、部品管理費用の発生等によるコストアップを余儀なくされる。さらに、標準装備する照明装置を後からオプションの照明装置に変更しようとすると、照明装置の組み換え作業が発生して、ここでもコストアップを余儀なくされる。
【０００７】
そこで、標準装備する照明装置を残したまま新たな作業灯を追加すれば、標準装備にプラスしたより明るい照明装置をオプションとして比較的安価に提供することができ、また、照明装置を後付けすることも容易になる。しかし、この場合、作業灯をそこかしこに取り付ければよいという訳ではなく、刈取作業において真に照明が必要な箇所をより明るく照らして、出来るだけ少ない作業灯を用いて効果的に照明することが望ましい。
【０００８】
一方、刈取部に設けるデバイダは立毛穀稈を左右に分草し、分草した穀稈は引起装置によって引き起こされ、搬送装置によって脱穀部に向けて搬送される。しかし、ここでデバイダが穀稈株に割り込むように株割りした状態で刈取作業を行うと、穀稈の刈取作用が乱れて搬送に乱れを生じさせ、倒伏穀稈であれば土ごと株を持ち上げて搬送装置や脱穀部の詰まりの原因となる。また、左右方向の両端側のデバイダが株割りした状態で穀稈を刈取ると、穀稈をなぎ倒して刈跡を悪くしたり刈り残しを生じさせる虞があり、出来るだけ株割を生じないように機体を適切に操向操作することが望ましい。
【０００９】
そして、そのためにはデバイダの分草状態を確認できるようにすることが第一に求められ、夜間の刈取作業でもデバイダ周辺を明るく照らすことが重要となる。従って、照明装置をオプションとして提供する場合、左右方向の両端のデバイダを照らすことができる作業灯を追加することが効果的である。しかし、作業灯を従来のように刈取部側に設けてデバイダ周辺を照らすと確かにデバイダ周辺を常に照らすことができるが、畦際での刈上げ作業時には作業灯が上向いて遠方を照らすため、畦の視認性が悪くなるという問題がある。
【００１０】
そこで、本発明は、上記のような問題点に鑑み、刈取部の前方を前照灯や作業灯で照らして夜間の刈取作業を可能にするコンバインにおいて、刈上げ作業時の畦の視認性を保ちながら刈取部のデバイダ周辺を作業灯を用いて照らすことができ、また、作業灯の設置コストを極力低減することができるコンバインを提供することを課題とする。
【課題を解決するための手段】
【００１１】
本発明は、上記課題を解決するため第１に、走行装置を備える機体に操縦部と脱穀部を設けると共に、操縦部と脱穀部の前方に刈取部を昇降自在に設け、また、刈取部の前方を前照灯や作業灯で照らして夜間の刈取作業を可能にするコンバインにおいて、前記刈取部のデバイダ周辺を照射する作業灯を操縦部に設けるものとして、係る作業灯を一灯のランプで構成して下降させた刈取部の左右両端に亘るデバイダ周辺を一時に照射すると共に、操縦部からデバイダを目視する際の視線から外した箇所に作業灯を取り付けることを特徴とする。
【００１２】
また、本発明は、第２に、前記作業灯は、上昇させた刈取部によって光源が遮られない箇所に取り付けることを特徴とする。さらに、本発明は、第３に、前記操縦部の前部に立設する操作ボックスの上方に作業者の支えとなるサポートフレームを横設し、このサポートフレームに作業灯を取り付けることを特徴とする。そして、本発明は、第４に、前記サポートフレームの左右方向となる前辺と、前辺の端部から後方に折曲する後辺に亘ってベースブラケットを取り付けると共に、このベースブラケットを介して作業灯をサポートフレームに取り付けることを特徴とする。
【発明の効果】
【００１３】
本発明のコンバインによれば、刈取部のデバイダ周辺を照射する作業灯を操縦部に設けるものとして、係る作業灯を一灯のランプで構成して下降させた刈取部の左右両端に亘るデバイダ周辺を一時に照射すると共に、操縦部からデバイダを目視する際の視線から外した箇所に作業灯を取り付けるから、薄暮や夜間に刈取作業を行う際に作業灯を点灯してデバイダ周辺を明るく照らすことができ、デバイダによる株割りを極力無くし穀稈の搬送乱れや刈り残しを防止して、搬送装置や脱穀部の詰まりを生じさせることなく能率的に刈取作業を行うことができる。
【００１４】
また、作業灯を操縦部の前部に設けるフロントパネルに設けると、フロントパネルから遠くなる例えば、左端側のデバイダ周辺は立毛穀稈に遮られ、また、作業灯の配光特性からみて照らすことができない。しかし、立毛穀稈に遮られることなく刈取部の左右両端に亘るデバイダ周辺を一時に照射することができる例えば、フロントパネルより高い位置に作業灯を設置すると、作業灯を複数のランプでなくとも一灯のランプで構成することができ、作業灯のコストを低減することができる。
【００１５】
さらに、作業灯は出来るだけデバイダから近い位置に設けた方がデバイダ周辺を明るく照らすことができる。そのため、特許文献６に記載された作業灯のように、操縦部から刈取部を目視する視線上に作業灯を設ける確率が高くなる。しかし、操縦部からデバイダを目視する際の視線から極力外すことを条件に作業灯の取り付け位置を選定すると、左右両端に亘るデバイダ周辺からの反射光が作業灯自体によって遮られることなく作業者に届くため、デバイダ周辺の視認を良好にすることができる。
【００１６】
そして、操縦部に作業灯を設けた場合、刈取部を上昇させると往々にして作業灯の光源を刈取部が遮るが、ここで作業灯を上昇させた刈取部によって光源が遮られない箇所に取り付けると、畦際での刈上げ作業時に刈取部を上昇させても、操縦部に設ける作業灯はデバイダ下方の畦を照らすことができるので、デバイダの畦への衝突を回避して刈上げ作業を的確に行うことができる。
【００１７】
また、操縦部の前部に立設する操作ボックスの上方に作業者の支えとなるサポートフレームを横設し、このサポートフレームに作業灯を取り付けると、標準仕様のコンバインに装備されているサポートフレームをそのまま利用して作業灯を簡単に取り付けることができ、新たな取付フレーム等を不要にしてコスト削減に繋げることができる。また、作業灯を後付けすることも容易に行うことができる。
【００１８】
さらに、サポートフレームの左右方向となる前辺と、前辺の端部から後方に折曲する後辺に亘ってベースブラケットを取り付けると共に、このベースブラケットを介して作業灯をサポートフレームに取り付けると、サポートフレームを円形のパイプで構成する際にも作業灯が不測にパイプ中心に回動することがないので、作業灯の照射方向が安定して刈取作業において必要な箇所を明るく照明することができる。
【図面の簡単な説明】
【００１９】
【図１】コンバインの前方側から見た斜視図である。
【図２】コンバインの後方側から見た斜視図である。
【図３】操縦部の平面図である。
【図４】作業灯の取付状態を示す側面図である。
【図５】作業灯の取付状態を示す斜視図である。
【図６】作業灯の取付状態を示す分解図である。
【図７】作業灯の照射領域を示す側面図である。
【図８】作業灯の照射領域を示す平面図である。
【発明を実施するための形態】
【００２０】
本発明の実施形態を図面に基づいて説明する。図１及び図２に示すように刈取り・脱穀・籾の選別・藁処理を同時に行うコンバイン１は、複胴下扱ぎ軸流式の脱穀部を備える乗用６条刈りの自脱型コンバインであって、左右のクローラ式走行装置２を下部に備えた機体フレーム（機体）３の機体進行方向右側前部に操縦部Ａを設けている。また、機体３の左側前部から操縦部Ａの前方にかけて刈取部Ｂを油圧リフトシリンダによって昇降自在に設けている。さらに、刈取部Ｂの後方には脱穀部Ｃを設けると共に、脱穀部Ｃの右側には収穀部Ｄを設けている。そして、脱穀部Ｃと収穀部Ｄの後方には排藁処理装置Ｅを設けている。
【００２１】
前記刈取部Ｂは、伝動装置、デバイダ４、ナローガイド５、引起装置６、刈刃装置、掻込搬送装置、株元搬送装置、穂先搬送装置、扱ぎ深さ搬送装置７、及び補助搬送装置と、これ等の装置を支える刈取部フレーム８及びリフトフレームによって構成している。なお、伝動装置は、リフトフレームに内蔵する入力駆動部と縦伝動部、穂先・株元伝動部、扱ぎ深さ伝動部、下伝動部、引起し伝動部等によって構成し、図示しない刈取りクラッチが接続されて、刈取部Ｂの各装置にエンジン動力が伝達されると、刈取部Ｂは左右端のデバイダ４間に入った立毛穀稈を引き起こしながら刈り取り、また、扱ぎ深さ搬送装置７によって扱ぎ深さを調節しながら、刈り取った穀稈を脱穀部Ｃに搬送する。
【００２２】
また、脱穀部Ｃは、前後壁と左右の側壁と底板と上方を覆うシリンダーカバー９等からなる機枠の上部に扱室が形成され、該扱室には、刈取部Ｂから搬送されてきた穀稈を扱口に沿って挟持搬送する脱穀フイードチェン１０、及びシリンダカバー９に設けた挟持レール１１と、周囲に多数植設された扱歯を備える第１扱胴と、受網を設けている。また、扱室内で脱粒処理しきれなかった穀粒の混ざった藁屑等を処理する処理室を、第１扱胴の後端穂先側より機体の後方に向けて併設し、この処理室には第２扱胴と受網を設けている。さらに、第１及び第２扱胴の下方には、受網より漏下した穀粒等を選別処理する、揺動選別体及び選別風路等よりなる選別室を設けている。なお、脱穀部Ｃの各装置は、図示しない脱穀クラッチを介してエンジン動力が伝達されて駆動される。
【００２３】
さらに、脱穀部Ｃで脱穀・選別処理された穀粒は、収穀部Ｄを構成するグレンタンク１２に移送され、このグレンタンク１２は穀粒を一時的に貯留し、その後、排出オーガ１３により機外のコンテナ等に排出することができる。なお、脱穀部Ｃで発生する藁屑及び塵埃等の排塵は、第２扱胴と選別室から直接、又は選別室に設けた排塵ファンで吸引して脱穀部Ｃの後方に排出される。また、脱穀処理を完了して扱室より排出される排稈は、排藁搬送装置によって排藁処理装置Ｅに向けて搬送され、さらに、排藁処理装置Ｅを構成するディスク型カッター（排藁カッター）１４は、排藁搬送装置で搬送されてきた排稈を細断して刈取跡地に切藁として放出する。
【００２４】
次に、操縦部Ａについて説明すると、図３に示すように操縦部Ａは、機体３の前部に設ける運転フレームの上面にフロア１５を設け、このフロア１５には適宜、マット等を敷設する。また、フロア１５の前部側左右と左側にレバーフレームを立設し、この前部側の左右レバーフレームに、フロントカバー１６とリヤカバー１７と樹脂製のフロントパネル１８を取り付けてレバーフレームを覆い、前部側の操作ボックスを構成する。
【００２５】
また、前部側の左レバーフレームと左側レバーフレームに、サイドカバー１９とサイドパネル２０を取り付けてレバーフレームを覆い、側部側の操作ボックスを構成する。さらに、前部側の右レバーフレームと左側レバーフレームにサポートフレーム２１の両端を取り付ける。なお、サポートフレーム２１は、乗降時につかまったり操縦する際につかまるアシストグリップの役割を果たし、円形のパイプ材で構成する。そのため、サポートフレーム２１は、右端側の乗降時につかまる縦辺２１ａと、操縦する際につかまる前辺２１ｂ及び後辺２１ｃを折曲形成し、前辺２１ｂ及び後辺２１ｃをフロントパネル１８とサイドパネル２０の外周縁の上方に沿わせて設ける。
【００２６】
さらに、フロア１５の後方には、エンジンカバーフレームを立設し、このエンジンカバーフレームの周囲に複数のカバー２２を取り付け、その内部をエンジンルームに構成する。そして、前部側のエンジンカバーフレームに、運転席２３をブラケットを介して前後動・上下動調節自在に取り付け、全体として操縦部Ａを構成している。
【００２７】
なお、操縦部Ａに設ける操作具等について説明すると、操作ボックスの前部側の右側寄りに機体３の旋回や刈取部Ｂの昇降を行う操作具であるマルチステアリングレバー２４を設ける。また、マルチステアリングレバー２４の後方に、マルチステアリングレバー２４を操作する際に使用するアームレスト２５を設ける。さらに、操作ボックスの前部側の中央部には、エンジン回転計やフューエルメータ等の計器板２６を設け、その左側には前照灯や作業灯を入り切りし、また、方向指示器を操作するコンビネーションスイッチ２７、水平操作レバー２８、及び刈高さダイヤル２９を設ける。
【００２８】
また、サイドパネル２０には、主変速レバー３０、副変速レバー３１、及びエンジンコントロールレバー３２を設ける他、刈取りクラッチと脱穀クラッチを断続する操作具であるパワークラッチスイッチ３３や扱深さ自動スイッチ３４等の自動制御関連のスイッチやダイヤル等を設ける。そして、運転席２３後方のカバー２２には、カッタ排ワラ切替レバー３５や排出オーガ操作レバー３６を設ける。なお、３７はサポートフレーム２１を利用して取り付けるバックミラー、３８はサブステップである。
【００２９】
次に、照明装置等の電装部品について説明すると、刈取部Ｂには前照灯と作業灯と方向指示器（車幅灯）を設ける。この内、前照灯３９と作業灯４０は、引起装置６の横伝動筒の前方を覆うトップカバー４１の両端部に連なるように設け、それぞれ機体外側に前方を照射する前照灯３９を、また、機体内側にデバイダ４周辺を照らす作業灯４０を配置している。なお、トップカバー４１の後方と脱穀部Ｃ側には前後の防塵カバー４２、４３を設け、穀稈の搬送に伴って発生する藁屑などの操縦部Ａ側への飛散を防止している。また、引起装置６の側方を覆う左右のサイドカバー４４、４５の側部には右と左の方向指示器４６、４６をそれぞれ設ける。
【００３０】
さらに、脱穀部Ｃと収穀部Ｄと排藁処理装置Ｅには、方向指示器（車幅灯）、方向指示器・尾灯兼制動灯、バックランプ、作業灯を設ける。即ち、脱穀部のシリンダーカバー９の側面には左方向指示器４７を設け、排藁処理装置Ｅと収穀部Ｄの後部側には左右の方向指示器・尾灯兼制動灯４８とバックランプ４９と機体の後方側を照らす作業灯５０を設ける。また、排出オーガ１３の穀粒排出口１３ａ近傍には穀粒の排出位置を照らす作業灯５１を設け、排出オーガ１３を機体３上に格納した際には、係る作業灯５１は左端側のデバイダ４周辺を照らすことができる。
【００３１】
そして、以上説明した照明装置等は、標準仕様のコンバインに装備するものであるが、次に説明する作業灯は、オプションとして提供する照明装置であって、本発明の特徴とする操縦部Ａに設ける作業灯である。即ち、この作業灯は、図４乃至図８に示すように操縦部Ａに一灯設けるものとして、高輝度放電ランプ（High Intensity Discharged lamp）５２を用いて構成する。
【００３２】
より具体的に説明すると、高輝度放電ランプ５２は作業灯の本体を構成するハウジング５２ａにバラストとリフレクタと光源となるディスチャージバルブ５２ｂを内臓し、前面にレンズ５２ｃを備える。そして、この高輝度放電ランプ５２は、操縦部Ａのサポートフレーム２１の前辺２１ｂの左寄り上方に取り付け、下降させた刈取部Ｂの左右両端に亘るデバイダ４周辺を一時に照射する。
【００３３】
また、操縦部Ａから右側端側のデバイダ４を目視する際に、運転席２３に座った状態、又はこれが見難く立ち上がった状態の何れであっても、高輝度放電ランプ５２は作業者の視線から左側に外れた位置にあり、デバイダ４周辺からの反射光が高輝度放電ランプ５２によって遮られることなく作業者に届くから、デバイダ４周辺の視認を妨げることがない。
【００３４】
さらに、操縦部Ａから左側端側のデバイダ４を目視する際には、運転席２３に座った状態、又はこれが見難く立ち上がった状態の何れであっても、高輝度放電ランプ５２は作業者の視線から上方側、或いは下方側に外れた位置にあり、デバイダ４周辺からの反射光が高輝度放電ランプ５２によって遮られることなく作業者に届くから、デバイダ４周辺の視認を妨げることがない。
【００３５】
そのうえ、刈取部Ｂを最大上昇させた場合であっても、高輝度放電ランプ５２は刈取部Ｂのトップカバー４１等より高く位置して、これらの刈取部Ｂの装着部品によって光源が遮られることなく、刈取部Ｂの前部側をそのまま照らすので、畦際での刈上げ作業時に刈取部Ｂを上昇させても、高輝度放電ランプ５２はデバイダ４下方となる畦を照らし、デバイダ４の畦への衝突を回避して刈上げ作業を的確に行うことができるようにする。
【００３６】
そして、操縦部Ａのサポートフレーム２１に高輝度放電ランプ５２を取り付ける際には、図６に示すようにＬ字状のプレートで構成するベースブラケット５３を、サポートフレーム２１の左右方向となる前辺２１ｂの２箇所と、前辺２１ｂの端部から後方に折曲する後辺２１ｃの１箇所にサドルバンド５４を用いて取り付け、このベースブラケット５３の前辺２１ｂ側の上部にコ字状のブラケット５５を介して高輝度放電ランプ５２を多少上下方向の照射角度調節自在に取り付ける。
【００３７】
そのため、サポートフレーム２１が作業者のつかまり易さを考慮して円形のパイプ材で構成してあっても、ベースブラケット５３は略直交する前辺２１ｂと後辺２１ｃを用いて取り付けることによって、不測にパイプ２１を中心として回動することやパイプ２１の長手方向の移動が防止される。従って、これに取り付ける高輝度放電ランプ５２の照射方向が常に一定となり、確実に必要とする照明箇所を照らすことができる。
【００３８】
なお、サドルバンド５４を装着するサポートフレーム２１には、予めスポンジ等からなるシール５６を巻きつけておき、サドルバンド５４とサポートフレーム２１の密着性を高め、また、機体振動を緩衝させて高輝度放電ランプ５２を保護する。また、高輝度放電ランプ５２から引き出したリードワイヤ５２ｄはサポートフレーム２１にワイヤバンド５７で固定して配策する。
【００３９】
以上、本発明の実施形態を説明したが、前述した高輝度放電ランプ５２はコンビネーションスイッチ２７を操作して薄暮時や夜間に前照灯や他の作業灯とともに点灯するため虫を誘引しやすい。しかし、虫の好む紫外域の光をカットしたＵＶカット型の高輝度放電ランプを使用すると、虫の誘引を大幅に低減することができる。また、高輝度放電ランプに替えて例えば、高輝度ＬＥＤランプを用いてもよく、さらに、標準装備する他の照明装置も白熱電球やハロゲンランプに替えて低消費電力のＬＥＤランプにしてもよく、本発明は、前記実施形態に限定されるものではない。
【符号の説明】
【００４０】
１    コンバイン
２    クローラ走行装置
３    機体
４    デバイダ
Ａ    操縦部
Ｂ    刈取部
Ｃ    脱穀部
２１  サポートフレーム
５２  高輝度放電ランプ（作業灯）
５３  ベースブラケット
【図１】
2017029003.tif 000003
【図２】
2017029003.tif 000004
【図３】
2017029003.tif 000005
【図４】
2017029003.tif 000006
【図５】
2017029003.tif 000007
【図６】
2017029003.tif 000008
【図７】
2017029003.tif 000009
【図８】
2017029003.tif 000010